(57)【要約】  本発明は、補強材が取り付けられるように構成された窓要素、扉要素及びファサード要素用のプラスチックプロファイルに関し、プラスチックプロファイル本体（１１、１１２）を備え、このプラスチックプロファイル本体は長手方向（ｚ）に伸びており、長手方向（ｚ）に直交する断面（ｘ−ｙ）から見たときに、長手方向に直交する横方向（ｘ）に位置する少なくとも一方の外側において、中空プロファイルを備える補強要素（２１、２２）がプラスチックプロファイル本体と屈曲部によって連結できるように構成される。プラスチックプロファイル本体のそれぞれの外面側には、２つの屈曲した突起（１２１ａａ、１２２ｃａ）が設けられており、補強要素の中空プロファイルが前記屈曲した突起の間に屈曲した形で配置される。
2010513754.tif 000002
【特許請求の範囲】
【請求項１】
補強材が配置されるように構成された窓要素、扉要素及びファサード要素用のプラスチックプロファイルであって、
長手方向（ｚ）に伸びるプラスチックプロファイル本体（１１１、１１２、１１３、１１４、１１５、１１６、１１７）を備えており、
そのプラスチックプロファイル本体は、前記長手方向（ｚ）に直交する断面（ｘ−ｙ）で見たときに、前記長手方向（ｚ）に直交する横方向（ｘ）において外側に位置する少なくとも一方の外面側において、中空プロファイル、及び／又は、部分的に開放されたプロファイル、及び／又は、コーナー連結具を受け入れることに適した収容部分（２１、２２ａ、２４ａ、２５ａ、２６ａ）を備えている補強要素（２１、２２、２４、２５、２６）が巻込み式によって前記プラスチックプロファイル本体と連結可能になるように構成されており、
２つの巻込み突起（１２１ａａ、１２２ａａ、１２２ｃａ、１２４ａａ、１２５ａａ、１２６ａａ、１３３ｂａ）が、前記プラスチックプロファイル本体の夫々の外面側に設けられており、
前記補強要素の前記中空プロファイル、及び／又は、前記補強要素の前記部分的に開放されたプロファイル、及び／又は、前記補強要素の前記収容部分が、実質的に前記巻込み突起の間に巻き込み状態で配置されることを特徴とするプラスチックプロファイル。
【請求項２】
前記プラスチックプロファイル本体（１１１、１１２、１１３、１１４、１１５、１１６、１１７）が、前記横方向（ｘ）において互いに反対側にある２つの外面側において、中空プロファイル、及び／又は、部分的に開放されたプロファイル、及び／又は、コーナー連結具を受け入れることに適した収容部分（２１ａ、２２ａ、２４ａ、２５ａ、２６ａ）を備えている１つの補強要素（２１、２２、２４、２５、２６）の各々が巻込み式よって前記プラスチックプロファイル本体と連結するように構成されており、
前記プラスチックプロファイル本体の夫々の２つの外面側の各々に２つの巻込み突起（１２１ａａ、１２２ａａ、１２２ｃａ、１２４ａａ、１２５ａａ、１２６ａａ、１３３ｂａ）が設けられており、
前記補強要素の前記中空プロファイル、及び／又は、前記補強要素の前記部分的に開放されたプロファイル、及び／又は、前記補強要素の前記収容部分が、実質的に前記２つの巻込み突起の間に巻込み状態で配置される請求項１に記載のプラスチックプロファイル。
【請求項３】
前記２つの巻込み突起（１２１ａａ、１２２ａａ、１２２ｃａ、１２４ａａ、１２５ａａ、１２６ａａ、１３３ｂａ）が、横方向（ｘ）において、前記夫々の外面側において前記プラスチックプロファイル本体のうち最も突出した部分であるように前記プラスチックプロファイル本体の夫々の外面側に設けられている請求項１又は２に記載のプラスチックプロファイル。
【請求項４】
補強材が配置されるように構成された窓要素、扉要素及びファサード要素用のプラスチックプロファイルであって、
長手方向（ｚ）に伸びるプラスチックプロファイル本体（１１１、１１２、１１３、１１４、１１５、１１６、１１７）を備えており、
そのプラスチックプロファイル本体は、前記長手方向（ｚ）に直交する断面（ｘ−ｙ）で見たときに、前記長手方向に直交する横方向（ｘ）において外側に位置する少なくとも一方の外面側において、中空プロファイル、及び／又は、部分的に開放されたプロファイル、及び／又は、コーナー連結具を受け入れることに適した収容部分（２１ａ、２２ａ、２４ａ、２５ａ、２６ａ）を備えている補強要素（２１、２２、２４、２５、２６）が巻込み式によって前記プラスチックプロファイル本体と連結可能になるように構成されており、
２つの巻込み突起（１２１ａａ、１２２ａａ、１２２ｃａ、１２４ａａ、１２５ａａ、１２６ａａ、１３３ｂａ）が、前記横方向（ｘ）において、前記夫々の外面側において前記プラスチックプロファイル本体のうち最も突出した部分であるように前記プラスチックプロファイル本体の夫々の外面側に設けられており、
前記横方向（ｘ）において、前記補強要素の前記中空プロファイル、及び／又は、前記補強要素の前記部分的に開放されたプロファイル、及び／又は、前記補強要素の前記収容部分が、横方向（ｘ）において、実質的に前記プラスチックプロファイル本体の範囲内に巻込み状態で配置されることを特徴とするプラスチックプロファイル。
【請求項５】
前記プラスチックプロファイル本体（１１１、１１２、１１３、１１４、１１５、１１６、１１７）が、横方向（ｘ）において互いに反対側にある２つの外面側において、中空プロファイル、及び／又は、部分的に開放されたプロファイル、及び／又は、コーナー連結具を受け入れることに適した収容部分（２１ａ、２２ａ、２４ａ、２５ａ、２６ａ）を備えている１つの補強要素（２１、２２、２４、２５、２６）の各々が巻込み式よって前記プラスチックプロファイル本体と連結するように構成されており、
２つの巻込み突起（１２１ａａ、１２２ａａ、１２２ｃａ、１２４ａａ、１２５ａａ、１２６ａａ、１３３ｂａ）が、前記横方向（ｘ）において、前記夫々の外面側において前記プラスチックプロファイル本体のうち最も突出した部分であるように前記プラスチックプロファイル本体の夫々の外面側に設けられており、
前記補強要素の前記中空プロファイル、及び／又は、前記補強要素の前記部分的に開放されたプロファイル、及び／又は、前記補強要素の前記収容部分が、横方向（ｘ）において、実質的に前記プラスチックプロファイル本体の範囲内に巻込み状態で配置される請求項４に記載のプラスチックプロファイル。
【請求項６】
前記プラスチックプロファイルが、窓、扉、又はファサード要素に設置された状態において、前記横方向（ｘ）が、屋外側から屋内側まで伸びているように構成される請求項１〜５のいずれか一項に記載のプラスチックプロファイル。
【請求項７】
前記プラスチックプロファイル本体（１１１、１１２、１１３、１１４、１１５、１１６、１１７）が、１つ又は複数の中空チャンバを備える請求項１〜６のいずれか一項に記載のプラスチックプロファイル。
【請求項８】
一体型のプラスチックプロファイル本体（１１１、１１２、１１３、１１４）、及び／又は、多部品型のプラスチックプロファイル本体（１１５、１１６、１１７）を備える請求項１〜７のいずれか一項に記載のプラスチックプロファイル。
【請求項９】
少なくとも１つの外側プロファイル本体（１１５ａ、１１６ａ、１１７ａ）と、少なくとも１つの内部桟構成材（１１５ｂ、１１６ｂ、１１７ｂ）と、を有する多部品型のプラスチックプロファイル本体（１１５、１１６，１１７）を備える請求項１〜８のいずれか一項に記載のプラスチックプロファイル。
【請求項１０】
前記プラスチックプロファイル本体（１１１、１１２、１１３、１１４、１１５、１１６、１１７）が少なくとも部分的に発泡充填されている請求項１〜９のいずれか一項に記載のプラスチックプロファイル。
【請求項１１】
前記巻込み突起（１２１ａａ、１２２ａａ、１２２ｃａ、１２４ａａ、１２５ａａ、１２６ａａ、１３３ｂａ）が、前記プラスチックプロファイル本体の外側幾何形体に対し正確に位置決めされるように調整される請求項１〜１０のいずれか一項に記載のプラスチックプロファイル。
【請求項１２】
取付具、及び／又は、取付具を固着するための補強要素（２３、２７、２６ｃ）を受け入れるための機能的部分（１３１、１３２、１３３、１３４）が、前記プラスチックプロファイル本体の幾何形体に設けられる請求項１〜１０のいずれか一項に記載のプラスチックプロファイル。
【請求項１３】
窓要素、扉要素及びファサード要素用の補強プラスチックプロファイルであって、
請求項１〜１２のいずれか一項に記載のプラスチックプロファイル本体（１１１、１１２、１１３、１１４、１１５、１１６、１１７）と、
中空プロファイル、及び／又は、部分的に開放されたプロファイル、及び／又は、コーナー連結具を受け入れることに適した収容部分（２１ａ、２２ａ、２４ａ、２５ａ、２６ａ）を備えているとともに、長手方向において耐剪断性を有するように前記プラスチックプロファイル本体と巻込み式で連結される１つ又は複数の補強要素（２１、２２、２４、２５、２６）であって、
夫々の前記補強要素の中空プロファイル、及び／又は、夫々の前記補強要素の部分的に開放されたプロファイル、及び／又は、夫々の前記補強要素の収容部分が、夫々巻込み突起の間に巻込み状態で位置するように、及び／又は
前記プラスチックプロファイル本体の夫々の外面側に設けられた前記２つの巻込み突起（１２１ａａ、１２２ａａ、１２２ｃａ、１２４ａａ、１２５ａａ、１２６ａａ、１３３ｂａ）が、前記横方向（ｘ）において、前記それぞれの外面側において前記プラスチックプロファイル本体のうち最も突出した部分であり、
前記補強要素の前記中空プロファイル、及び／又は、前記補強要素の前記部分的に開放されたプロファイル、及び／又は、前記補強要素の前記収容部分が、前記横方向（ｘ）において、実質的に前記プラスチックプロファイル本体の範囲内に巻込み状態で配置されるように連結される１つ又は複数の補強要素と、
を備える補強プラスチックプロファイル。
【請求項１４】
前記補強プラスチックプロファイルが、前記プラスチックプロファイル本体（１６、１７、１８）の外側幾何形体に対して前記補強要素（２１、２２、２４、２５、２６）が正確に位置決めされるように、前記プラスチックプロファイル本体（１１１、１１２、１１３、１１４、１１５、１１６、１１７）が長手方向において耐剪断性を有するように巻込み突起によって巻込み式で連結される請求項１３に記載の補強プラスチックプロファイル。
【請求項１５】
前記プラスチックプロファイル本体によって形成される前記補強プラスチックプロファイルの遮断域が、前記横方向（ｘ）において、構造体の全奥行きの少なくとも８０％を占有する請求項１３又は１４に記載の補強プラスチックプロファイル。
【請求項１６】
前記プラスチックプロファイル本体によって形成される前記補強プラスチックプロファイルの遮断域が、前記横方向（ｘ）において、構造体の全奥行きの少なくとも９０％、好ましくは少なくとも９５％を占有する請求項１３〜１５のいずれか一項に記載の補強プラスチックプロファイル。
【請求項１７】
前記横方向（ｘ）において、前記外面側に対して装飾カバー（６１、６２、６３、６４）を任意に取り付けるように構成される請求項１３〜１６のいずれか一項に記載の補強プラスチックプロファイル。
【請求項１８】
取付要素が、前記プラスチックプロファイル本体の外側幾何形体にある機能部分（１３１、１３３）に受け入れられる請求項１３〜１７のいずれか一項に記載の補強プラスチックプロファイル。
【請求項１９】
取付要素が、前記プラスチックプロファイル本体の機能部分（１３２、１３４）に設けられる補強材（２３、２７、２６ｃ）と連結される請求項１３〜１８のいずれか一項に記載の補強されたプラスチックプロファイル。
【請求項２０】
請求項１３〜１９のいずれか一項に記載の補強プラスチックプロファイルを備える窓要素、扉要素又はファサード要素。
【発明の詳細な説明】
【技術分野】
【０００１】
本発明は、窓要素、扉要素及びファサード要素用のプラスチックプロファイルに関する。
【背景技術】
【０００２】
窓システムは、一般的に、ウイングプロファイルとフレームプロファイルで構成されている。ウイングプロファイルにはガラスが嵌め込まれ、フレームプロファイルは建造物の外郭（壁材（ｂｒｉｃｋｗｏｒｋ））と連結されている。これらのプロファイルは、例えば、木、スチール、アルミニウム、プラスチック又はこれらの材料の組み合わせで作製される。様々な競合する材料は、伝統に基づく部分もある。しかしながら、その一方で材料選択の決め手となるのは、熱特性、遮風性、維持管理費用、外観の印象及び価格といった要因である。
【０００３】
この技術分野では（例えば、独国特許出願公開第３３  １９  １４４Ａ１号明細書）、窓及び扉用の押出しプラスチック中空プロファイルが知られている。かかる中空プロファイル部材は、中空プロファイル部材に対して長手方向に伸びる複数の中空チャンバを備える。この種類の中空プロファイル部材は通常、硬質ＰＶＣで作製される。内部チャンバの１つ又は複数は、発泡プラスチックで充填されることがある（欧州特許出願公開第１  １５４  １１５  Ｂ１号明細書も参照）。かかる中空プロファイルで作製された窓フレームのコーナー接合部は、溶接によるか、又はコーナー連結具を用い、それを接着剤でプロファイルに固定することによって製造される。
【０００４】
窓製造業者のシューコー（Ｓｃｈｕｅｃｏ）、独国ビーレフェルト（Ｂｉｅｌｅｆｅｌｄ）は、複数の中空チャンバを備えた無発泡プラスチック中空プロファイルと従来のスチール補強材とを特徴とする窓システム（例えば、品名Ｃｏｒｏｎａ  ＣＴ  ７０  Ｐｌｕｓ）を提供している。スチール補強プロファイルは、摺動させて差し込むことによって、中空チャンバ内に配設される。このスチール補強プロファイルは、取付具を固定するためにも使用される。これらの窓システムには、アルミニウム製の装飾用外側カバーが装着されることがある。
【０００５】
プラスチック発泡体で作製された窓要素用プロファイル部材が、独国実用新案第２０１  ０５  ８７６  Ｕ１号明細書、独国特許出願公開第３２  ４２  ９０９  Ａ１号明細書及び国際公開第９７／２２７７９  Ａ１号パンフレットに、夫々開示されている。これらのプロファイル構成材では、遮断シェル（独国実用新案第２０１  ０５  ８７６  Ｕ１号明細書）又は金属プロファイル部材（独国特許出願公開第３２  ４２  ９０９  Ａ１号明細書）がプラスチック発泡体コアと連結される。独国実用新案第２０１  ０５  ８７６  Ｕ１号明細書から公知となっているＰＵ発泡体コアでは、別個のコアプロファイルがＰＵプロファイルに使用される。
【０００６】
窓要素及び扉要素用のプラスチックプロファイル構成材が、欧州特許出願公開第１  ７０５  ３３４  Ａ２号明細書に開示されている。ここでは、金属プロファイル部材が、プラスチックプロファイル部材の双方の外面側に、接着されるか又は巻き込まれ、窓要素及び扉要素の内面側及び外面側を形成する。
【０００７】
さらに、アルミニウム製の窓要素、扉要素及びファサード要素が知られている。これらは、摩擦嵌め／形状による嵌め合いによって、プラスチックプロファイルと連結される屋外側及び屋内側のアルミニウムプロファイルのアルミニウム−プラスチック複合プロファイルから作製される。構成材の製造において、プロファイル材がフレームに組み立てられる。プロファイル材の端部が、コーナー連結具に差し込まれることによって機械的に連結される。さらに、任意の材料の屋外側プロファイルと屋内側プロファイルとが合体したプロファイルで作製される複合材の窓要素、扉要素及びファサード要素が知られている（欧州特許出願公開第１  ５５５  ３７６  Ａ１号明細書）。これらは、摩擦嵌め／形状による嵌め合いによって。プラスチックプロファイルと連結される。独国実用新案第２００  １６  ６１１  Ｕ１号明細書は、窓用等の補強プラスチック窓プロファイルを開示しており、これには取付具等を受けるためのＵ字型溝が設けられている。補強プロファイルはこの溝に取り付けられる。
【発明の概要】
【発明が解決しようとする課題】
【０００８】
本発明の目的は、窓要素、扉要素及びファサード要素用の改良されたプラスチックプロファイル、及び、かかる窓要素、扉要素及びファサード要素用プラスチックプロファイルを備える補強プラスチックプロファイルを提供することである。
【課題を解決するための手段】
【０００９】
上記目的は、それぞれ、請求項１、２若しくは５に記載のプラスチックプロファイル、又は請求項１３に記載の補強プラスチックプロファイル、又は請求項２０に記載の窓要素、扉要素若しくはファサード要素によって解決される。
【００１０】
本発明の好ましい実施形態は、従属請求項に定義されている。
【００１１】
本発明は、窓、扉及びファサード用のプロファイルシステムを提供し、ここでは補強材が巻き込まれたプラスチック中空プロファイルが利用される。この補強材は、正確な配置及び長手方向の耐剪断性を伴い取り付けられ、構造体の全奥行きにおいて比較的大きな割合の遮断域を可能にする。
【００１２】
本発明に係る窓、扉及びファサード用プロファイルシステムの一実施形態は、プラスチックプロファイル、好ましくは、プラスチック中空プロファイルと補強プロファイルで構成されている。好ましくは、補強プロファイルはアルミニウム製である。この補強プロファイルは、外側に配置され、外表面に対し正確に位置決めされたコーナー連結具を受け入れるチャンバを提供する。この補強プロファイルは、長手方向に耐剪断性を有するように、巻込み方式でプラスチック中空プロファイルと連結される。
【００１３】
プラスチックプロファイルは遮断域を形成し、屋内側から屋外側までの構造体の全奥行きに対する遮断域の割合は、好ましくは８０％以上、さらにより好ましくは９０％以上、又は最も好ましくは９５％以上である。
【００１４】
プロファイルはコーナー連結具によって連結され、アルミニウム窓の場合のように、窓要素、扉要素及びファサード要素などの構成材を形成することができる。
【００１５】
例えば、硬質ＰＶＣ、ＰＡ、ＰＥＴ、ＰＢＴ、ＰＡ／ＰＰＥ、ＡＳＡ（強化又は非強化）又はその他で作製されるプラスチックプロファイルの製造においては、プロファイルの外側外形と内側外形を、正確な位置に調整する製造方法が用いられる。
【００１６】
正確な位置調整によって、差し込まれて取り付けられる補強材の外側外形に対する位置決め精度が、要求される低い公差で確保される。
【００１７】
本発明は、補強プラスチックプロファイルが利用される窓要素、扉要素及びファサード要素の特徴の設計に関して様々な利点を提供する。
【００１８】
ａ）熱特性
熱性能は、構造体の奥行きにおけるプラスチック中空プロファイルの割合の増加、並びに内部空洞の設計、サイズ及び配分、並びに発泡充填（ｆｏａｍｉｎｇ）を用いることによって設計することができる。
【００１９】
ｂ）機械的特性
耐ねじれ性等の機械的特性は、構造体の奥行き（すなわち屋外側補強材と屋内側補強材との間の距離）、並びに補強材の設計、サイズ及び断面積を用いることによって設計することができる。
【００２０】
ｃ）断面
プロファイルの断面において、取付及び係止要素、シール材等を受けるためのいかなる複雑なアンダーカット及び幾何形体が、このプラスチック中空プロファイルの使用によって可能となる。
【００２１】
ｄ）表面及び色彩設計
プラスチックの選択及び着色、及び／又は、装飾要素の使用によって、表面及び色彩設計に対して、また、外部側及び屋内側の種々の設計に対しても様々に変化をもたせることができる。
【００２２】
中空プロファイルの外側外形は、例えば以下のような要求される機能及び特徴によって決定される。
ａ）シール材及び取付具の受け入れ、及び機能的な係止部におけるシール材の接触表面。
ｂ）ガラスを嵌め込むためのガラス押さえ表面、ガラスビード用の機能的な凹部及び溝、ガラスシール材の受け入れ及び排水。
ｃ）建造物の外郭用の凹部及び溝、窓枠止め、シール材フォイルの受け入れ等。
ｄ）中空プロファイルの滑らかに着色された耐候性表面、及び／又は、プラスチック、木、アルミニウム又はステンレススチール製の装飾用プロファイル（押出し又は圧延されたもの）を外部側及び屋内側に取り付けるためのスナップ係止突起。
【００２３】
補強材は、コーナー連結具を受け入れるための（アルミニウム窓で一般的な）内側外形と、プラスチック中空プロファイルにおける位置が正確に決まるように各面が配置された外側外形とを備えた押出しアルミニウム中空プロファイルで構成されることが好ましい。
【００２４】
補強材はまた、Ｔ字型接合具又は取付具のねじ連結に要求されるような付加的特徴も備えることができる。
【００２５】
プラスチック中空プロファイルは、例えばＰＡ  ６６  ＧＦの強化材料で作製されるとともに、外側外形に、例えば、取付及び係止要素の受け入れ、封止、ビードの嵌め込み、装飾カバーの装着などのための機能的要素を備えることが好ましい。
【００２６】
プラスチック中空プロファイルは、長手方向に耐剪断性を有するように連結され、好ましくはアルミニウムで形成される補強プロファイルによって、十分に固定的な担持能力を実現する。補強プロファイルは、コーナー連結具の受け入れに適した領域を備えることが好ましい。取付及び係止要素を受け入れ、封止し、ビードを嵌め込むための機能的領域は、プラスチック中空プロファイルと一体化できることが好ましい。補強プロファイルは、装飾カバーで被覆され得ることが好ましい。このプラスチック中空プロファイルは、適切なプラスチック材料、例えばＰＡ  ６６  ＧＦを選択することによって、用途に応じた機械的要件を満足する。
【００２７】
補強プロファイルは、長手方向に耐剪断性を有する連結とするために、例えばローレット切りによって適切に予備処理され得る。
【００２８】
さらなる特徴及び有用性は、図面を参照した本発明の実施形態の説明から理解することができる。
【図面の簡単な説明】
【００２９】
【図１】本発明の第１の実施形態に係る補強プラスチックプロファイルの長手方向に直交する断面を示す。
【図２】本発明の第２の実施形態に係るプラスチックプロファイルの長手方向に直交する断面を示す。
【図３】本発明の第３の実施形態に係るプラスチックプロファイルの長手方向に直交する断面を示す。
【図４】本発明の第４の実施形態に係る補強プラスチックプロファイルの長手方向に直交する断面を示す。
【図５】本発明の第５の実施形態に係る補強プラスチックプロファイルの長手方向に直交する断面を示す。
【図６】図１示す第１の実施形態の部分拡大図を示す。
【発明を実施するための形態】
【００３０】
図１及び図６を参照して、本発明の第１実施形態について説明する。図１は、プロファイル部材を、フレームプロファイル及び窓ウイングプロファイルの一部として、各々のプロファイル部材の長手方向（ｚ）に直交する断面図（ｘ−ｙ平面）で図示する。
【００３１】
図１の右手側に、プラスチック中空プロファイル１１１が、その長手方向に直交する断面で図示されており、これは窓ウイングの一部を形成している。二重ガラス窓２００は、一般に公知の方法で、異なる形状もあり得る封止／取付け要素２０１とガラスビード２０２とを介して窓ウイング内に／窓ウイングにおいて保持され得る。図１の上側がプロファイル部材の屋内側であり、図１の下側がプロファイル部材の屋外側である。
【００３２】
窓ウイングの一部を形成するプラスチック中空プロファイル１１１は、横方向ｘに、屋外側（図１の下側）から屋内側（図１の上側）に向かって延在している。この横方向ｘは、長手方向ｚに直交しており、且つ、その長手方向ｚに直交している幅方向ｙに直交している。アルミニウム中空プロファイル２１が、以下に説明される方法によってプラスチック中空プロファイルの外部側（屋外側）に取り付けられている。横方向ｘの反対側において、すなわち、屋内側（図１の上側）に、同様の方法でアルミニウム中空プロファイル２２が取り付けられている。中空チャンバが、２つの外面側の間に位置している。第１実施形態においては、中空チャンバは低密度の発泡体５０で発泡充填されている。その長手方向ｚと直交する断面（ｘ−ｙ）において、プラスチック中空プロファイルは、取付及び係止要素（図示せず）、シール材２０１、２１１、２１２、補強材ビード２３及び他の要素、例えば窓ビード２０２を受け入れるため、及び／又は、装飾要素６１を取り付けるために、アンダーカット、突起などの複合的な幾何形体を特徴としている。
【００３３】
以下、アルミニウム中空プロファイル２１、２２の取り付けが、図６を参照してアルミニウム中空プロファイル２１よって説明される。図６から明らかなように、プラスチック中空プロファイルは、巻込み型突起１２１ａのような巻込み型突起をそれぞれの外面側（ここでは屋外側）に備えている。巻込み型突起は、プラスチック中空プロファイル１１１から横方向ｘに突出しており、プラスチック中空プロファイル１１１において最も外面側に突出している部分／部品を形成している。
【００３４】
アルミニウムプロファイル２１は長手方向ｚに延在しており、矩形の断面形状を有する外壁によって取り囲まれている中空チャンバ２１ａを備えている。中空チャンバは、当然ながら他の断面形状を有してもよいが、長い方の側辺が幅方向ｙに伸びている矩形断面であることが好ましい。突起２１ｂは、矩形の壁から幅方向ｙに伸びている。これらの突起の端部は巻き込むためのハンマー（巻込みハンマー）２１ｂａのように形成されており、アルミニウム中空プロファイルの他の部分（この場合、中空チャンバの壁）と一緒に隙間を形成している。
【００３５】
図６から明らかなように、プラスチック中空プロファイルの巻込み突起１２１ａは、アルミニウムプロファイルが長手方向において耐剪断性を有する状態で保持されるように、その先端が巻込み突起１２１ａのヘッド（巻込みヘッド）１２１ａａとしてアルミニウム中空プロファイル２１の突起２１ｂのハンマー２１ｂａと協働しているとともに、アルミニウムプロファイル２１がプラスチック中空プロファイルとヘッド１２１ａａのみで接触するように、対応して屈曲した形状に形成されている。さらに、プラスチック中空プロファイルは、エアクッションによって取り囲まれるとともに、プラスチック中空プロファイル１１１と接触しないようにして収容部に受け入れられる。これは、突起１２１ａの長さ、すなわち、収容部１２１を画定する壁１２１ｂから突出する量が、横方向ｘにおいて計測されるアルミニウムプロファイル２１の奥行きが突起２１ｂよりも短くなるように決定されることを意味する。
【００３６】
巻込み突起及びアルミニウム中空プロファイルの構成についての上記の説明は、全ての実施形態に適用される。
【００３７】
壁１２１ｂは一般に、以下で図４及び５を参照してさらに説明されるとおり、収容部１２１の内側を画定する必要はない。しかしながら、この第１実施形態においては、収容部の内側を画定することが意図され及び好ましい。
【００３８】
図１に示すように、アルミニウム中空プロファイル２２が同様の方法で、プラスチック中空プロファイル１１１の反対側の外面側（屋内側）にある巻込み突起１２２ａ、１２２ｃに対して、長手方向において耐剪断性を有する状態で巻込み式に取り付けられている。巻込み突起１２２ａ、１２２ｃは長さが異なり、屋外側と形状が異なる。しかしながら、巻込み突起１２２ａ及び１２２ｃもまた、屋内側において横方向ｘに最遠まで伸びているプラスチック中空プロファイル１１１の部分／部品である。
【００３９】
アルミニウム中空プロファイル２２は、矩形断面形状の壁によって取り囲まれた中空チャンバと、幅方向ｙに伸びる突起２２ｂ、２２ｃを備える。アルミニウム中空プロファイル２１とは異なり、これらの突起はさらなる機能を実現するように構成されている。例えば、突起２２ｂは、巻き込み用のハンマー２２ｂａに加えて別の突起２２ｂｂを備えており、突起２２ｂｂは装飾要素６２を嵌着（ｃｌｉｃｋ  ａｔｔａｃｈｍｅｎｔ）する働きをする。突起２２ｃは、巻き込み用ハンマー２２ｃａと延長部２２ｃｂを備えている。延長部２２ｃｂには、シール材２１１用の収容部２２ｃｃと、装飾要素６２を嵌着するための突起２２ｃｄが設けられている。
【００４０】
一般に、アルミニウム中空プロファイル２１、２２は補強要素として働いており、これらは長手方向に耐剪断性を有するように、巻込み式でプラスチック中空プロファイル１１１と連結される。このように、プラスチック中空プロファイル１１１とアルミニウム中空プロファイル２１、２２で構成されている補強プラスチック中空プロファイルの機械的特性が実現される。
【００４１】
横方向ｘにおいて巻込み突起１２１ａ、１２２ａ、１２２ｃがプラスチック中空プロファイル１１１のなかで最も突出した部分／部品となるようにプラスチック中空プロファイル１１１を形成し、且つ、アルミニウム中空プロファイルの実質的な部品を実質的に巻込み突起の間に、より一般的に表現すれば、プラスチック中空プロファイルの範囲内に配設すると、横方向ｘにおける構造体の全奥行きに対して、プラスチックで形成された遮断域の最大限の拡張が実現される。公知の複合プロファイルと異なり、この場合には、アルミニウム中空プロファイルの横方向ｘにおける断面寸法によって遮断域の寸法が増加することはなく、アルミニウム中空プロファイルの横方向ｘにおける断面寸法の大部分は、遮断域のｘ方向寸法を低減させなくとも遮断域の横方向ｘにおける寸法の範囲内である。
【００４２】
これによって、横方向ｘにおける構造体の全奥行きの遮断域は、この場合（装飾カバー無し）には少なくとも８０％、さらにアルミニウム中空プロファイル２１、２２で補強されたプラスチック中空プロファイル１１１の場合には９２％という割合が実現される。突起２２ｃが対応して変更され、巻込み突起１２２ｃが巻込み突起１２２ａの長さまで伸びる場合には、９６％さえ可能である。
【００４３】
例えば、装飾要素６１、６２はアルミニウムカバーとして形成することができ、これはプロファイルにクリップ留めされ得る。ステンレススチール、木、プラスチック等のような他の材料もまた、装飾要素６１、６２に使用できる。熱伝導性が極めて高い装飾カバー用材料の使用について、特に、装飾カバー６１のように（装飾カバー６２とは対照的に）、装飾カバーが横方向ｘにプラスチック中空プロファイル１１１の内面側まで伸びているときには、そのことが遮断特性の低下を引き起こすことを考慮する必要がある。しかしながら、この遮断特性の低下は、アルミニウム中空プロファイルとプラスチック中空プロファイルを説明したように連結するによって実現される遮断特性の向上と比べてはるかに小さい。さらに、これらの装飾要素は極めて薄い壁で形成することができるので、ここでさらなる最適化を実現することができる。
【００４４】
上記したように、プラスチック中空プロファイル１１１は、複合的な幾何形体を特徴としている。例えばプラスチック中空プロファイル１１１は、取付及び係止要素を受け入れるように調整されたアンダーカット凹部１３１を有している。以下の説明は図２を参照する。プラスチック中空プロファイル１１１は、第１実施形態のプラスチック中空プロファイル１１１と同じである。凹部１３１は長手方向ｚに伸びている。幅方向ｙにおいて、プラスチック中空プロファイル１１１の外壁が、アンダーカット凹部１３１の後壁を形成している。横方向ｘにおいて、屋内側では、凹部１３１は、フック形状の突起１３１ａによって画定されている。横方向ｘにおいて、屋外側では、プラスチック中空プロファイル１１１の外壁が後壁を形成する部分から垂直に伸びており、そこには屋内側に向かって突出する突起１３１ｂが設けられ、それにより、アンダーカット凹部１３１が全体として画定されている。
【００４５】
アンダーカット凹部１３１の後壁の内面側に、別のアンダーカット凹部１３２が形成されている。幅方向ｙにおいて、アンダーカット凹部１３２の後壁は、プラスチック中空プロファイル１１１の外壁と同じ部分によって囲まれている。横方向ｘにおいて、凹部１３２は、屋外側では、フック形状の突起１３２ｂによって画定されている。屋内側では、プラスチック中空プロファイル１１１の外壁と、この外壁に直交して屋外側の方向に突出する突起１３２ａによって画定されている。
【００４６】
凹部１３２は、取付及び係止要素を確実に取り付ける機能を有する補強要素（補強桟）２３用の収容部を形成しており、この補強要素は、外面側においてはアンダーカット凹部１３１に保持される。補強要素２３は、発泡体５０によるか、又はその他の方法によって（例えば、ねじによって）その位置に保持される。
【００４７】
第１実施形態のプラスチック中空プロファイル１１１は、屋内側から屋外側まで連続する中空チャンバを備えている。断熱及び強度増加を理由として、この中空チャンバは発泡体５０で発泡充填される。必要に応じて、プラスチック中空プロファイルは１つ又は複数の中空チャンバを有してもよく、これは必要に応じて全体的に発泡充填されるか、部分的に発泡充填されるか、又は全く発泡充填されなくてもよい。使用される発泡体の密度は、必要によって変動さえることができる。
【００４８】
図１の左手側にはプラスチック中空プロファイル１１２が図示されており、これはフレームプロファイルの一部を形成している。アルミニウム中空プロファイル２４、２５は、長手方向に耐剪断性を有するように、プラスチック中空プロファイル１１１と同じように巻込み式で、巻込み突起１２４ａ、１２５ａによってプラスチック中空プロファイル１１２に連結されている。プラスチック中空プロファイル１１２はまた、屋外側から屋内側まで連続している中空チャンバも備えており、中空チャンバは発泡体５０で発泡充填されている。同様に、アルミニウムプロファイル２４、２５は、矩形断面を有する外壁に取り囲まれた中空チャンバ２４ａ、２５ａを備えている。中空プロファイル１１２においてもまた、巻込み突起１２４ａがプラスチック中空プロファイル１１２の対応する外壁１２４ｂとともに収容部１２４を形成しており、その中にアルミニウム中空プロファイルの中空チャンバ２４ａが挿入されている。同様に、アルミニウム中空プロファイル２４は、プラスチック中空プロファイル１１２の巻込み突起１２４ａのヘッド１２４ａａのみと接触し、その他の部分は遮断空気膜によって取り囲まれている。同じことが、アルミニウム中空プロファイル２５が巻込み式により長手方向に耐剪断性を有するように取り付けられていることについても当てはまり、収容部１２５は、巻込み突起１２５ａと外壁１２５ｂとによって画定されている。アルミニウムプロファイル２５で補強されたプラスチック中空プロファイル１１２は、係止及び取付要素を受け入れるためのアンダーカット凹部１３３を備えている。プラスチック中空プロファイル１１１のアンダーカット凹部１３１と異なり、この凹部は、プラスチック中空プロファイルによってのみ形成されているのではなく、プラスチック中空プロファイル１１２とアルミニウム中空プロファイル２５との組み合わせによって形成されている。つまりこれは、アンダーカット凹部が、ある部分はプラスチック中空プロファイルの構成部品（外壁、突起）１３３ｂ、１３３ａから形成されており、ある部分はアルミニウム中空プロファイル２５の構成部品（突起２５ｂ）から形成されていることを意味する。図１に示す実施形態においては、取付及び係止要素を固着するための補強要素は配置されていない。しかしながら、図２及び３を参照して説明されるように、様々な方法で実施することができる。
【００４９】
第１実施形態の説明から導かれるように、本プラスチック中空プロファイルは、同等の構造体の奥行きと比べて、構造体の全奥行きにおける遮断域の割合を大幅に増加させることが可能となる。これは、例えば、それぞれの外面側において、巻込み突起がプラスチック中空プロファイルのなかで最も突出した部分／部品であるという事実によって可能となっている。
【００５０】
補強要素が中空プロファイルで形成される場合、この中空プロファイルは、それが横方向ｘにおいて実質的に（少なくとも５０％超が）、好ましくは最大限に、すなわち８０％以上、より好ましくは９０％以上、さらにより好ましくは外壁を除き完全に、構造体の奥行きの範囲内にあるようにして、巻込み突起の突出部に関連して、好ましくは巻込み突起間に配設されなければならない。
【００５１】
アルミニウム中空プロファイルの補強要素及びそれぞれの中空チャンバ２１ａ、２２ａ、２４ａ、２５ａは、コーナー連結具を受け入れるための収容部分として使用されることが好ましい。
【００５２】
アルミニウム中空プロファイルは、アルミニウム押出しによって製造され、そのためアルミニウム中空プロファイルの断面が長手方向において延在部全体に亘って等しいことが好ましい。この場合、中空プロファイル、及びコーナー連結具を受け入れるための収容部分も、上述されたように巻込み突起間に位置する。
【００５３】
補強要素はまた、部分的に開放されたプロファイルとしても形成され得る。これに関連して部分的に開放されたプロファイルとは、その長手方向ｚに直交する断面（ｘ−ｙ）において、空間を完全にではなく部分的にだけ取り囲む断面形状（例えばＵ字型など）を有するプロファイルを意味する。部分的に開放されたプロファイルの別の例は、矩形の一辺が完全には閉じられていない矩形プロファイルなどである。
【００５４】
プラスチック中空プロファイル１１１、１１２は、プラスチック中空プロファイルの外側の幾何形体に対して、巻込み突起の正確な位置調整を有している。そのため、アルミニウム中空プロファイル及びコーナー連結具用の受け入れ領域をそれぞれ、長手方向に耐剪断性を有する巻き込みによって、外側幾何形体に対し正確に位置決めして配置することができる。結果的に、コーナー連結具又は他のコーナー連結、例えば溶接によって、補強プラスチック中空プロファイルを正確に位置決めして連結することが可能となり、かかるコーナー連結をやり直す時間及び手間が最小限に抑えられる。
【００５５】
次に、図１及び図６に示すプラスチック中空プロファイルの製造方法を説明する。単一の構成材又は中空チャンバプロファイル全体の正確な位置調整を可能にする、中空チャンバプロファイルを製造するための方法及び装置が、国際公開第９６／３０１８８号パンフレット及び独国特許出願公開第１９９  ２１  ４５８  Ａ１号明細書にそれぞれ記載されている。第１実施形態のプラスチック中空プロファイル１１１、１１２は然るべき方法で製造され、ここで材料は、必要に応じて、耐退色性、耐光性及び／又は耐候性を有するものが選択される。製造過程において、プロファイルは押し出され、好ましくは少なくとも外表面及び巻込み突起が正確な位置に調整される。好適な材料は、硬質ＰＶＣ、ＰＡ、ＰＥＴ、ＰＰＴ、ＰＡ／ＰＰＥ、ＡＳＡ、ＰＡ６６及びその他（各々、強化材料を伴っても、又は伴わなくともよい）である。
【００５６】
補強構成材は、好ましくは、アルミニウム押出しによって製造される。補強構成材の突起は巻き込まれる必要があり、好ましくはローレット切りによって下処理される。
【００５７】
然るべき密度を有するＰＵなどのデュロプラスチックが、プラスチック中空プロファイルを発泡充填するための発泡体として使用することができる。好ましくは、低密度の発泡体（０．０１〜０．３ｋｇ／ｌ）が使用される。高密度の発泡体が使用される場合、０．３〜０．６ｋｇ／ｌの発泡体が好ましい。
【００５８】
上記実施形態では、任意のアンダーカットがプロファイルの任意の位置で可能である。アルミニウム又は他の材料で作製された外側カバー及び内側カバーの表面処理は発泡充填プロセスとは別に実行されてもよく、これは発泡体が焼き付け温度に耐えられない場合に有利である。この利点に加え、説明した実施形態は、優れた機械的特性を備えるシステムを提供し、補強プロファイルをコーナー連結具による角部の連結のために使用できると同時に、必要な仕上げ作業を最小限に抑えることができる。本実施形態はまた、異なる密度の発泡体を使用することもでき、熱伝導特性の最適化を図ることができる。
【００５９】
説明した実施形態は、プラスチックで形成された遮断域の割合が構造体の全奥行きの９５％以上、いずれの場合にも８０％以上を可能にし、優れた機械的特性を伴う。優れた機械的特性は、アルミニウム中空プロファイルの長手方向に耐剪断性を有する巻き込みによって実現される。
【００６０】
図２を参照して、第２実施形態を説明する。第２実施形態において、窓ウイングプロファイルは第１実施形態の窓ウイングプロファイルと同一であり、そのため説明を繰り返さない。
【００６１】
フレームプロファイルは、補強要素２７が挿入される凹部１２５及び凹部１３４の形成を除き、第１実施形態のプラスチック中空プロファイル１１２の設計と一致する設計のプラスチック中空プロファイル１１３を備えている。
【００６２】
図２から明らかなように、外壁１２５ｂは外壁１３３ｂまで伸びておらず、外壁１３３ｂのすぐ前で壁１２５ｃに連続している。この壁１２５ｃは、収容部１２５を画定するための外壁を形成している。このようにしてアンダーカット凹部１３４が形成されており、アンダーカット凹部１３４は、アンダーカット凹部１３３と反対側で外壁１３３ｂの内側に位置する。このアンダーカット凹部１３４には補強要素が挿入され、この補強要素は、補強材２３と同じように、アンダーカット凹部１３３に案内される取付及び係止要素を固着する働きをする。
【００６３】
プラスチック中空プロファイル１１３のさらなる設計は、第１実施形態のプラスチック中空プロファイル１１２の設計と同一であり、そのため説明は繰り返さない。
【００６４】
図３を参照して、第３実施形態を説明する。第３実施形態の窓ウイングプロファイルは、第１実施形態及び第２実施形態の窓ウイングプロファイルと同一であり、そのためここで説明は繰り返さない。
【００６５】
第３実施形態のフレームプロファイルは、収容部１２６及びアルミニウム中空プロファイル２６の構成において、第１実施形態及び第２実施形態のフレームプロファイルと異なる。
【００６６】
図３から明らかなように、アルミニウム中空プロファイル２６は、フレームプロファイルの屋内側において公知の方法で巻き込まれている。アルミニウム中空プロファイル２６の形状は、突起２６ｃを除きアルミニウム中空プロファイル２５の形状と同一であり、突起２６ｃはアルミニウム中空プロファイルの内側において幅方向ｙに突出しており、且つ横方向ｘ及び長手方向ｚに伸びる補強要素を形成している。収容部１２６は巻込み突起１２６ａによって囲まれており、その先端１２６ａａが、アルミニウムプロファイル２６の突起２６ｂａのための巻込み突起の役割を果たす。補強要素２６ｃを受け入れるために、収容部１２６には横方向ｘ及び長手方向ｚに伸びる壁によって囲まれた凹部が設けられており、それにより補強要素２６ｃは、補強要素２７のように、アンダーカット凹部１３３と反対側で外壁１３３ｂの内側まで伸びている。従って、補強要素２６ｃは実質的に補強要素２７と同じ機能を果たすことができる。
【００６７】
図４を参照して、第４実施形態を説明する。
【００６８】
第４実施形態は、一体型プラスチック中空プロファイル１１１及び１１３が、多部品のプラスチック中空プロファイル１１５及び１１６に置き換えられている点で第２実施形態と異なる。他の設計は第２実施形態の設計と同一である。プラスチック中空プロファイル１１１と異なり、窓ウイングプロファイルのプラスチック中空プロファイル１１５は、一体に形成されておらず、複数の部品で形成されている。外壁１１５ａは、内部桟を形成する内部要素１１５ｂによって（例えば、図示されない差込式、クリップ留め又は他の連結を介して）連結されている。内部桟１１５ｂの使用することにより機械的剛性が高まり、複数の中空チャンバが形成される結果となる。これらの中空チャンバは、任意で、完全に又は部分的に発泡充填することができる。
【００６９】
第２実施形態のプラスチック中空プロファイル１１３に代えて、プラスチック中空プロファイル１１６が同様に形成されている。これはつまり、外壁１１６ａが、内部桟を形成する内部構成材１１６ｂによって連結されており、その結果、複数の中空チャンバが形成されていることを意味する。
【００７０】
図５を参照して、第５実施形態を説明する。
【００７１】
第５実施形態は、プラスチック中空プロファイル１１５及び１１７の設計において第３実施形態と異なる。第５実施形態の窓ウイングプロファイルは、第４実施形態の窓ウイングプロファイルと同一であり、そのためここで説明は繰り返さない。
【００７２】
第４実施形態のフレームプロファイルと比較して、第５実施形態のフレームプロファイルは、第３実施形態のアルミニウムプロファイル２５の代わりに、アルミニウム中空プロファイル２６を備える。第５実施形態のプラスチック中空プロファイル１１７は、補強要素２７を受け入れるためのアンダーカット凹部が形成されない点で、第４実施形態のプラスチック中空プロファイル１１６と異なるに過ぎない。代わりに、アルミニウム中空プロファイル２６の一体構成部品である補強要素２６ｃが、アンダーカット凹部１３３の後壁を形成する外壁１３３ｂの内側に配置されている。
【００７３】
第５実施形態の他の設計は第４実施形態の設計と同一であり、そのためその設計は省略する。
【００７４】
第１実施形態について説明した製造方法、並びに第１実施形態について説明した特性及び利点は、第２〜第５実施形態においても利用又は実現されることができる。第１〜第３実施形態の特徴は、必要に応じて任意に組み合わすことができる。
【００７５】
詳細な説明及び／又は特許請求の範囲に開示される全ての特徴は、実施形態及び／又は特許請求の範囲の特徴の組み合わせとは独立して、開示本来の目的上、並びに特許請求する本発明を限定する目的上、互いに別個で独立したものと見なされなければならないことを明記する。数量の範囲又は群の表示は全て、開示本来の目的上、並びに特許請求する本発明を限定する目的上、特に範囲表示の限定としてもまた、数量の任意の可能な中間値又は下位群を開示することを明記する。
【図１】
2010513754.tif 000003
【図２】
2010513754.tif 000004
【図３】
2010513754.tif 000005
【図４】
2010513754.tif 000006
【図５】
2010513754.tif 000007
【図６】
2010513754.tif 000008
【手続補正書】
【提出日】平成21年10月15日(2009.10.15)
【手続補正１】
【補正対象書類名】図面
【補正対象項目名】全図
【補正方法】変更
【補正の内容】
【図２】
2010513754.tif 000009
【図３】
2010513754.tif 000010
【図４】
2010513754.tif 000011
【図５】
2010513754.tif 000012
【図６】
2010513754.tif 000013
【図１】
2010513754.tif 000014
【国際調査報告】
2010513754.tif 000015
2010513754.tif 000016
2010513754.tif 000017
2010513754.tif 000018
2010513754.tif 000019
2010513754.tif 000020